【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
架橋ヒアルロン酸またはその塩、水和物、もしくは溶媒和化合物からなる、糸であって、該ヒアルロン酸または塩がブタンジオールジグリシジルエーテル（ＢＤＤＥ）を用いて架橋される、糸。
【請求項２】
ヒアルロン酸またはその塩、水和物、もしくは溶媒和化合物からなる糸と、架橋ヒアルロン酸またはその塩、水和物、もしくは溶媒和化合物からなる糸との組み合わせからなる、糸であって、該架橋ヒアルロン酸または塩がブタンジオールジグリシジルエーテル（ＢＤＤＥ）を用いて架橋される、糸。
【請求項３】
請求項１または２記載の糸を含む、創傷用包帯。
【請求項４】
糸がコラーゲンを含む、請求項３記載の創傷用包帯。
【請求項５】
請求項１または２記載の糸からなる少なくとも１つの織物メッシュを含む、創傷用包帯。
【請求項６】
２層〜約１０層の織物メッシュを含む、請求項５記載の創傷用包帯。
【請求項７】
織物メッシュが同一の糸を含む、請求項５記載の創傷用包帯。
【請求項８】
織物メッシュが異なる糸を含む、請求項５記載の創傷用包帯。
【請求項９】
請求項１または２記載の糸を含む、癒着防止材。
【請求項１０】
請求項１または２記載の糸からなる少なくとも１つの織物メッシュを含む、癒着防止材。
【請求項１１】
創傷位置に適合するパッド、パッドに着脱可能に接着された気密シール、パッドと流体連通している陰圧源、およびパッドの創傷接触面に取り付けられた請求項１または２記載の糸を含む、創傷用包帯。
【請求項１２】
糸からなる少なくとも１層の織物メッシュを含む、請求項１１記載の創傷用包帯。
【請求項１３】
請求項３記載の創傷用包帯を、創傷治療を必要とする対象の創傷に取り付ける工程を含む、対象における創傷を治療する方法。
【請求項１４】
請求項１１記載の創傷用包帯を、創傷治療を必要とする対象の創傷に取り付ける工程を含む、対象における創傷を治療する方法。
【請求項１５】
請求項１または２記載の糸からなる、皮膚充填剤。
【請求項１６】
美容用途において請求項１５記載の皮膚充填剤を使用する方法。
【請求項１７】
請求項１または２記載の糸からなる、縫合糸。
【請求項１８】
外科手術用途において請求項１７記載の縫合糸を使用する方法。
【請求項１９】
外科手術用途、眼科手術、創傷閉鎖、薬物送達、または関節内注射において請求項１または２記載の糸を使用する方法。
【請求項２０】
以下の工程を含む、対象における皺を治療する方法：
請求項１または２記載の糸を針に取り付ける工程；
針の末端を、対象の皮膚表面に通して、皺に隣接する対象の真皮に挿入する工程；
針を用いて、皺の下にある対象の真皮を横断する工程；
針を、対象の皮膚表面から押し出す工程；および
対象の皮膚表面で糸を針から切断する工程。
【請求項２１】
ヒアルロン酸またはその塩、水和物、もしくは溶媒和化合物と、水または緩衝液およびブタンジオールジグリシジルエーテル（ＢＤＤＥ）とを混合して、架橋されたゲルを形成する工程；
ゲルを押し出して糸にする工程；
架橋ヒアルロン酸の糸を乾燥させる工程を含む、請求項１記載の糸を作製する方法。
【請求項２２】
治療剤および／または診断剤と、ヒアルロン酸またはその塩、水和物、もしくは溶媒和化合物と、水または緩衝液およびブタンジオールジグリシジルエーテル（ＢＤＤＥ）とを混合して、架橋されたゲルを形成する工程をさらに含む、請求項２１記載の方法。
【手続補正２】
【補正対象書類名】明細書
【補正対象項目名】００１１
【補正方法】変更
【補正の内容】
【００１１】
さらに他の局面において、例えば、皮膚充填剤、癒着防止材、陰圧創傷用包帯を含む創傷用包帯、縫合糸などとして、ヒアルロン酸またはその塩、水和物、もしくは溶媒和化合物の糸、または架橋ヒアルロン酸またはその塩、水和物、もしくは溶媒和化合物の糸、またはその組み合わせを使用する方法が提供される。例えば、外科手術、眼科学(opthamology)、創傷閉鎖、薬物送達などにおいて、ヒアルロン酸またはその塩、水和物、もしくは溶媒和化合物の糸、または架橋ヒアルロン酸またはその塩、水和物、もしくは溶媒和化合物の糸、またはその組み合わせを使用する方法がさらに提供される。
[本発明1001]
ヒアルロン酸またはその塩、水和物、もしくは溶媒和化合物からなる、糸。
[本発明1002]
架橋ヒアルロン酸またはその塩、水和物、もしくは溶媒和化合物からなる、糸。
[本発明1003]
ヒアルロン酸またはその塩、水和物、もしくは溶媒和化合物からなる糸と、架橋ヒアルロン酸またはその塩、水和物、もしくは溶媒和化合物からなる糸との組み合わせからなる、糸。
[本発明1004]
本発明1001〜1003のいずれかの糸を含む、創傷用包帯。
[本発明1005]
糸がコラーゲンを含む、本発明1004の創傷用包帯。
[本発明1006]
本発明1001〜1003のいずれかの糸からなる少なくとも1つの織物メッシュを含む、創傷用包帯。
[本発明1007]
2層〜約10層の織物メッシュを含む、本発明1006の創傷用包帯。
[本発明1008]
織物メッシュが同一の糸を含む、本発明1006の創傷用包帯。
[本発明1009]
織物メッシュが異なる糸を含む、本発明1006の創傷用包帯。
[本発明1010]
本発明1001〜1003のいずれかの糸を含む、癒着防止材。
[本発明1011]
本発明1001〜1003のいずれかの糸からなる少なくとも1つの織物メッシュを含む、癒着防止材。
[本発明1012]
創傷位置に適合するパッド、パッドに着脱可能に接着された気密シール、パッドと流体連通している陰圧源、およびパッドの創傷接触面に取り付けられた本発明1001〜1003のいずれかの糸を含む、創傷用包帯。
[本発明1013]
糸からなる少なくとも1層の織物メッシュを含む、本発明1012の創傷用包帯。
[本発明1014]
本発明1004の創傷用包帯を、創傷治療を必要とする対象の創傷に取り付ける工程を含む、対象における創傷を治療する方法。
[本発明1015]
本発明1012の創傷用包帯を、創傷治療を必要とする対象の創傷に取り付ける工程を含む、対象における創傷を治療する方法。
[本発明1016]
本発明1001〜1003のいずれかの糸からなる、皮膚充填剤。
[本発明1017]
美容用途において本発明1016の皮膚充填剤を使用する方法。
[本発明1018]
本発明1001〜1003のいずれかの糸からなる、縫合糸。
[本発明1019]
外科手術用途において本発明1018の縫合糸を使用する方法。
[本発明1020]
外科手術用途、眼科手術、創傷閉鎖、薬物送達、および関節内注射において本発明1001〜1003のいずれかの糸を使用する方法。
[本発明1021]
以下の工程を含む、対象における皺を治療する方法:
本発明1001〜1003のいずれかの糸を針に取り付ける工程;
針の末端を、対象の皮膚表面に通して、皺に隣接する対象の真皮に挿入する工程;
針を用いて、皺の下にある対象の真皮を横断する工程;
針を、対象の皮膚表面から押し出す工程;および
対象の皮膚表面で糸を針から切断する工程。
[本発明1022]
ヒアルロン酸またはその塩、水和物、もしくは溶媒和化合物と、水または緩衝液とを混合して、ゲルを形成する工程;
ゲルを押し出して糸にする工程;
ヒアルロン酸の糸を乾燥させる工程を含む、本発明1001の糸を作製する方法。
[本発明1023]
治療剤および/または診断剤と、ヒアルロン酸と、水または緩衝液とを混合して、ゲルを形成する工程をさらに含む、本発明1022の方法。
[本発明1024]
ヒアルロン酸またはその塩、水和物、もしくは溶媒和化合物と、水または緩衝液および架橋剤とを混合して、ゲルを形成する工程;
ゲルを押し出して糸にする工程;
架橋ヒアルロン酸の糸を乾燥させる工程を含む、本発明1002の糸を作製する方法。
[本発明1025]
治療剤および/または診断剤と、ヒアルロン酸またはその塩、水和物、もしくは溶媒和化合物と、水または緩衝液および架橋剤とを混合して、ゲルを形成する工程をさらに含む、本発明1024の方法。